(57)【要約】【課題】音声通信とＩＭ通信の有機的な連携が可能な移動通信システムを提供する。【解決手段】端末１、２は音声通信およびインスタントメッセージ（ＩＭ）通信を同時に行うことができる。端末２から端末１に音声通信による着信があった時、端末１は、ＩＭ通信を併用する旨の利用者入力を受けると、着信に対して応答を返し音声通信を可能にすると同時に、ＩＭ通信アプリケーションプログラムを起動し、着信してきた相手端末２をＩＭ送信先に自動的に設定し、端末２へＩＭを直ぐにでも送信できる状態にする。これにより、電車内など音声で応答するのに差し障りのある場所で電話を受けたときにＩＭ通信で応答する場合などに、迅速な応答が可能になる。また、音声通信が終了してもインスタントメッセージ通信は続行させる。【選択図】図１
2007053804.tif 000002
【特許請求の範囲】
【請求項１】
音声通信およびインスタントメッセージ通信を同時に行うことができる複数の移動通信端末と、前記複数の移動通信端末を相互に接続する通信網とを含んで構成される移動通信システムであって、音声通信とインスタントメッセージ通信の同時通信を行い、音声通信が終了してもインスタントメッセージ通信が続行する移動通信システム。
【請求項２】
音声通信およびインスタントメッセージ通信を同時に行うことができる複数の移動通信端末と、前記複数の移動通信端末を相互に接続する通信網とを含んで構成され、音声通信とインスタントメッセージ通信の連携制御を行う移動通信システムであって、
前記移動通信端末は、音声通信による着信時、インスタントメッセージ通信を併用する旨の利用者入力が為された場合に、前記着信に対して応答を返し音声通信を可能にすると共に、インスタントメッセージ通信アプリケーションプログラムを起動し前記着信してきた相手端末をインスタントメッセージ送信先に自動設定し、
着信時にインスタントメッセージ通信を併用する旨の利用者入力が為されず、音声通信による通話中にインスタントメッセージ通信を併用する旨の利用者入力が為された場合に、インスタントメッセージ通信アプリケーションプログラムを起動し前記着信してきた相手端末をインスタントメッセージ送信先に自動設定する制御手段を備える移動通信システム。
【請求項３】
音声通信およびインスタントメッセージ通信を同時に行うことができる複数の移動通信端末と、前記複数の移動通信端末を相互に接続する通信網とを含んで構成され、音声通信とインスタントメッセージ通信の連携制御を行う移動通信システムであって、
前記移動通信端末は、音声通信による通話中にインスタントメッセージ通信を併用する旨の利用者入力が為された場合に、インスタントメッセージ通信アプリケーションプログラムを起動し前記通話中の相手端末をインスタントメッセージ送信先に自動設定し、音声通信が終了してもインスタントメッセージ通信は続行させる制御手段を備える移動通信システム。
【請求項４】
前記相手端末をインスタントメッセージ送信先に指定する情報として前記相手端末の電話番号に対応して予め自端末の記憶手段に登録されているインスタントメッセージ通信アドレスを使用し、前記インスタントメッセージ通信アプリケーションプログラムは、インスタントメッセージ操作画面を表示装置に表示して利用者による操作を受け付け、メッセージの送信指示時、前記相手端末のインスタントメッセージ通信アドレスを設定したインスタントメッセージをインスタントメッセージサーバに送信するものである請求項２または３記載の移動通信システム。
【請求項５】
音声通信およびインスタントメッセージ通信を同時に行うことができる複数の移動通信端末と、前記複数の移動通信端末を相互に接続する通信網とを含んで構成される移動通信システムにおける移動通信方法であって、音声通信とインスタントメッセージ通信の同時通信を行い、音声通信が終了してもインスタントメッセージ通信が続行する移動通信方法。
【請求項６】
音声通信およびインスタントメッセージ通信を同時に行うことができる複数の移動通信端末と、前記複数の移動通信端末を相互に接続する通信網とを含んで構成され、音声通信とインスタントメッセージ通信の連携制御を行う移動通信システムにおける移動通信方法であって、
前記移動通信端末は、音声通信による着信時、インスタントメッセージ通信を併用する旨の利用者入力が為された場合に、前記着信に対して応答を返し音声通信を可能にすると共に、インスタントメッセージ通信アプリケーションプログラムを起動し前記着信してきた相手端末をインスタントメッセージ送信先に自動設定し、
着信時にインスタントメッセージ通信を併用する旨の利用者入力が為されず、音声通信による通話中にインスタントメッセージ通信を併用する旨の利用者入力が為された場合に、インスタントメッセージ通信アプリケーションプログラムを起動し前記着信してきた相手端末をインスタントメッセージ送信先に自動設定する移動通信方法。
【請求項７】
音声通信およびインスタントメッセージ通信を同時に行うことができる複数の移動通信端末と、前記複数の移動通信端末を相互に接続する通信網とを含んで構成され、音声通信とインスタントメッセージ通信の連携制御を行う移動通信システムにおける移動通信方法であって、
前記移動通信端末は、音声通信による通話中にインスタントメッセージ通信を併用する旨の利用者入力が為された場合に、インスタントメッセージ通信アプリケーションプログラムを起動し前記通話中の相手端末をインスタントメッセージ送信先に自動設定し、音声通信が終了してもインスタントメッセージ通信を続行させる移動通信方法。
【請求項８】
前記移動通信端末は、前記相手端末をインスタントメッセージ送信先に指定する情報として前記相手端末の電話番号に対応して予め自端末の記憶手段に登録されているインスタントメッセージ通信アドレスを使用し、前記インスタントメッセージ通信アプリケーションプログラムは、インスタントメッセージ操作画面を表示装置に表示して利用者による操作を受け付け、メッセージの送信指示時、前記相手端末のインスタントメッセージ通信アドレスを設定したインスタントメッセージをインスタントメッセージサーバに送信する請求項６または７記載の移動通信方法。
【請求項９】
音声通信およびインスタントメッセージ通信を同時に行うことができる移動通信端末であって、音声通信とインスタントメッセージ通信の同時通信を行い、音声通信が終了してもインスタントメッセージ通信が続行する移動通信端末。
【請求項１０】
音声通信およびインスタントメッセージ通信を同時に行うことができる移動通信端末であって、
音声通信による着信時、インスタントメッセージ通信を併用する旨の利用者入力が為された場合に、前記着信に対して応答を返し音声通信を可能にすると共に、インスタントメッセージ通信アプリケーションプログラムを起動し前記着信してきた相手端末をインスタントメッセージ送信先に自動設定し、
着信時にインスタントメッセージ通信を併用する旨の利用者入力が為されず、音声通信による通話中にインスタントメッセージ通信を併用する旨の利用者入力が為された場合に、インスタントメッセージ通信アプリケーションプログラムを起動し前記着信してきた相手端末をインスタントメッセージ送信先に自動設定する制御手段を備える移動通信端末。
【請求項１１】
音声通信およびインスタントメッセージ通信を同時に行うことができる移動通信端末であって、
音声通信による通話中にインスタントメッセージ通信を併用する旨の利用者入力が為された場合に、インスタントメッセージ通信アプリケーションプログラムを起動し前記通話中の相手端末をインスタントメッセージ送信先に自動設定し、音声通信が終了してもインスタントメッセージ通信は続行させる制御手段を備える移動通信端末。
【請求項１２】
前記相手端末をインスタントメッセージ送信先に指定する情報として前記相手端末の電話番号に対応して予め自端末の記憶手段に登録されているインスタントメッセージ通信アドレスを使用し、前記インスタントメッセージ通信アプリケーションプログラムは、インスタントメッセージ操作画面を表示装置に表示して利用者による操作を受け付け、メッセージの送信指示時、前記相手端末のインスタントメッセージ通信アドレスを設定したインスタントメッセージをインスタントメッセージサーバに送信するものである請求項１０または１１記載の移動通信端末。
【請求項１３】
通信網を通じて音声通信およびデータ通信を同時に行うことができる移動通信端末を構成するコンピュータを、
音声通信とインスタントメッセージ通信の連携制御を行わせる制御手段であって、音声通信による着信時、インスタントメッセージ通信を併用する旨の利用者入力が為された場合に、前記着信に対して応答を返し音声通信を可能にすると共に、インスタントメッセージ通信アプリケーションプログラムを起動し前記着信してきた相手端末をインスタントメッセージ送信先に自動設定し、着信時にインスタントメッセージ通信を併用する旨の利用者入力が為されず、音声通信による通話中にインスタントメッセージ通信を併用する旨の利用者入力が為された場合に、インスタントメッセージ通信アプリケーションプログラムを起動し前記着信してきた相手端末をインスタントメッセージ送信先に自動設定する制御手段、として機能させるプログラム。
【請求項１４】
通信網を通じて音声通信およびデータ通信を同時に行うことができる移動通信端末を構成するコンピュータを、音声通信とインスタントメッセージ通信の連携制御を行わせる制御手段であって、音声通信による通話中にインスタントメッセージ通信を併用する旨の利用者入力が為された場合に、インスタントメッセージ通信アプリケーションプログラムを起動し前記通話中の相手端末をインスタントメッセージ送信先に自動設定し、音声通信が終了してもインスタントメッセージ通信は続行させる制御手段、として機能させるプログラム。
【発明の詳細な説明】
【技術分野】
【０００１】
本発明は、音声通信とデータ通信を同時に行うことができる携帯電話機などの移動通信端末に関し、特にデータ通信としてインスタントメッセージ通信を用いる移動通信端末および移動通信システムに関する。
【背景技術】
【０００２】
音声通信機能とデータ通信機能とを併せ持つ移動通信端末が従来より各種提案されている。例えば後述する特許文献１には、送話音声と情報コードデータとをスイッチで切替えて同じ回線上に送信するようにした移動通信端末が提案されている。しかし、このタイプの移動通信端末では、音声とデータを同時に送信できないため、相手の音声を聞きながらデータを送信することはできず、一時には音声通話か、データ通信の何れか一方に制限される。これに対して、後述する特許文献２には、音声通信とデータ通信とが同時に可能なマルチコール機能を有する移動通信端末が記載され、後述する特許文献３には、ＰＤＣ（Ｐｅｒｓｏｎａｌ  Ｄｉｇｉｔａｌ  Ｃｅｌｌｕｌａｒ）およびＰＨＳ（Ｐｅｒｓｏｎａｌ  Ｈａｎｄｙｐｈｏｎｅ  Ｓｙｓｔｅｍ）の何れか一方で音声通信を、他方でデータ通信を行えるようにした移動通信端末が提案されている。これらの移動通信端末を使用すれば、通話とデータ通信とを並行して行うことが可能である。
【０００３】
他方、データ通信の一形態として最近注目されているインスタントメッセージ（以下、ＩＭと称す）通信に関する技術を記載した文献として、後述する特許文献４がある。この特許文献４では、ＩＭサービス全体を制御するサービス制御装置が、或る端末から或る端末宛のＩＭを受けたとき、相手端末がオフラインの場合、相手端末に設けられた電話機に発呼して、メッセージが到着したことを音声により通知するようにしている。
【０００４】
【特許文献１】特開２００２−４４２７７号公報
【特許文献２】特開２００２−１８５３８７号公報
【特許文献３】特開２００２−３６９２４６号公報
【特許文献４】特開２００１−３１３６６６号公報
【発明の開示】
【発明が解決しようとする課題】
【０００５】
上述したように音声通信とデータ通信とを同時に行えるようにした移動通信端末が従来より種々提案されているが、データ通信としてＩＭ通信を使用し、音声通信とＩＭ通信を同時に行えるようにした移動通信端末は未だ提案されていない。その理由は幾つか考えられるが、最も大きな理由は、電話による音声通信もＩＭ通信もその特徴は共にリアルタイム性にあり、何れか一方が使える状況にあれば、他方は不要と考えられていたという事情がある。このため、ＩＭ通信と音声通信との双方を利用する発明に関しても、前述した特許文献４に記載される程度のものが提案されているだけで、音声通信とＩＭ通信とを有機的に関連させたものは皆無である。若し、音声通信とＩＭ通信との連携が可能になれば、例えば、電車内など音声で応答するのに差し障りのある場所で電話を受けたときにＩＭ通信で応答したり、電話による音声では正確に伝えにくい情報をＩＭ通信で送信しながら並行して会話を進めるといった、今までに無いコミュニケーションが可能になると考えられる。
【０００６】
本発明はこのような事情に鑑みて提案されたものであり、その目的は、音声通信とＩＭ通信とを有機的に連携させた移動通信システム及び方法ならびに移動通信端末を提供することにある。
【課題を解決するための手段】
【０００７】
本発明の移動通信システムは、音声通信およびインスタントメッセージ通信を同時に行うことができる複数の移動通信端末と、前記複数の移動通信端末を相互に接続する通信網とを含んで構成される移動通信システムであって、音声通信とインスタントメッセージ通信の同時通信を行い、音声通信が終了してもインスタントメッセージ通信が続行する。
【０００８】
より具体的には、第１の移動通信システムは、音声通信およびインスタントメッセージ通信を同時に行うことができる複数の移動通信端末と、前記複数の移動通信端末を相互に接続する通信網とを含んで構成され、音声通信とインスタントメッセージ通信の連携制御を行う移動通信システムであって、前記移動通信端末は、音声通信による着信時、インスタントメッセージ通信を併用する旨の利用者入力が為された場合に、前記着信に対して応答を返し音声通信を可能にすると共に、インスタントメッセージ通信アプリケーションプログラムを起動し前記着信してきた相手端末をインスタントメッセージ送信先に自動設定し、着信時にインスタントメッセージ通信を併用する旨の利用者入力が為されず、音声通信による通話中にインスタントメッセージ通信を併用する旨の利用者入力が為された場合に、インスタントメッセージ通信アプリケーションプログラムを起動し前記着信してきた相手端末をインスタントメッセージ送信先に自動設定する制御手段を備える。
【０００９】
第２の移動通信システムは、音声通信およびインスタントメッセージ通信を同時に行うことができる複数の移動通信端末と、前記複数の移動通信端末を相互に接続する通信網とを含んで構成され、音声通信とインスタントメッセージ通信の連携制御を行う移動通信システムであって、前記移動通信端末は、音声通信による通話中にインスタントメッセージ通信を併用する旨の利用者入力が為された場合に、インスタントメッセージ通信アプリケーションプログラムを起動し前記通話中の相手端末をインスタントメッセージ送信先に自動設定し、音声通信が終了してもインスタントメッセージ通信は続行させる制御手段を備える。
【００１０】
第３の移動通信システムは、第１または第２の移動通信システムにおいて、前記相手端末をインスタントメッセージ送信先に指定する情報として前記相手端末の電話番号に対応して予め自端末の記憶手段に登録されているインスタントメッセージ通信アドレスを使用し、前記インスタントメッセージ通信アプリケーションプログラムは、インスタントメッセージ操作画面を表示装置に表示して利用者による操作を受け付け、メッセージの送信指示時、前記相手端末のインスタントメッセージ通信アドレスを設定したインスタントメッセージをインスタントメッセージサーバに送信する。
【００１１】
また本発明の移動通信方法は、音声通信およびインスタントメッセージ通信を同時に行うことができる複数の移動通信端末と、前記複数の移動通信端末を相互に接続する通信網とを含んで構成される移動通信システムにおける移動通信方法であって、音声通信とインスタントメッセージ通信の同時通信を行い、音声通信が終了してもインスタントメッセージ通信が続行する。
【００１２】
より具体的には、第１の移動通信方法は、音声通信およびインスタントメッセージ通信を同時に行うことができる複数の移動通信端末と、前記複数の移動通信端末を相互に接続する通信網とを含んで構成され、音声通信とインスタントメッセージ通信の連携制御を行う移動通信システムにおける移動通信方法であって、前記移動通信端末は、音声通信による着信時、インスタントメッセージ通信を併用する旨の利用者入力が為された場合に、前記着信に対して応答を返し音声通信を可能にすると共に、インスタントメッセージ通信アプリケーションプログラムを起動し前記着信してきた相手端末をインスタントメッセージ送信先に自動設定し、着信時にインスタントメッセージ通信を併用する旨の利用者入力が為されず、音声通信による通話中にインスタントメッセージ通信を併用する旨の利用者入力が為された場合に、インスタントメッセージ通信アプリケーションプログラムを起動し前記着信してきた相手端末をインスタントメッセージ送信先に自動設定する。
【００１３】
第２の移動通信方法は、音声通信およびインスタントメッセージ通信を同時に行うことができる複数の移動通信端末と、前記複数の移動通信端末を相互に接続する通信網とを含んで構成され、音声通信とインスタントメッセージ通信の連携制御を行う移動通信システムにおける移動通信方法であって、前記移動通信端末は、音声通信による通話中にインスタントメッセージ通信を併用する旨の利用者入力が為された場合に、インスタントメッセージ通信アプリケーションプログラムを起動し前記通話中の相手端末をインスタントメッセージ送信先に自動設定し、音声通信が終了してもインスタントメッセージ通信は続行させる。
【００１４】
第３の移動通信方法は、第１または第２の移動通信方法において、前記移動通信端末は、前記相手端末をインスタントメッセージ送信先に指定する情報として前記相手端末の電話番号に対応して予め自端末の記憶手段に登録されているインスタントメッセージ通信アドレスを使用し、前記インスタントメッセージ通信アプリケーションプログラムは、インスタントメッセージ操作画面を表示装置に表示して利用者による操作を受け付け、メッセージの送信指示時、前記相手端末のインスタントメッセージ通信アドレスを設定したインスタントメッセージをインスタントメッセージサーバに送信する。
【００１５】
また本発明の移動通信端末は、音声通信およびインスタントメッセージ通信を同時に行うことができる移動通信端末であって、音声通信とインスタントメッセージ通信の同時通信を行い、音声通信が終了してもインスタントメッセージ通信が続行する。
【００１６】
より具体的には、第１の移動通信端末は、音声通信およびインスタントメッセージ通信を同時に行うことができる移動通信端末であって、音声通信による着信時、インスタントメッセージ通信を併用する旨の利用者入力が為された場合に、前記着信に対して応答を返し音声通信を可能にすると共に、インスタントメッセージ通信アプリケーションプログラムを起動し前記着信してきた相手端末をインスタントメッセージ送信先に自動設定し、着信時にインスタントメッセージ通信を併用する旨の利用者入力が為されず、音声通信による通話中にインスタントメッセージ通信を併用する旨の利用者入力が為された場合に、インスタントメッセージ通信アプリケーションプログラムを起動し前記着信してきた相手端末をインスタントメッセージ送信先に自動設定する制御手段を備える。
【００１７】
第２の移動通信端末は、音声通信およびインスタントメッセージ通信を同時に行うことができる移動通信端末であって、音声通信による通話中にインスタントメッセージ通信を併用する旨の利用者入力が為された場合に、インスタントメッセージ通信アプリケーションプログラムを起動し前記通話中の相手端末をインスタントメッセージ送信先に自動設定し、音声通信が終了してもインスタントメッセージ通信は続行させる制御手段を備える。
【００１８】
第３の移動通信端末は、第１または第２の移動通信端末において、前記相手端末をインスタントメッセージ送信先に指定する情報として前記相手端末の電話番号に対応して予め自端末の記憶手段に登録されているインスタントメッセージ通信アドレスを使用し、前記インスタントメッセージ通信アプリケーションプログラムは、インスタントメッセージ操作画面を表示装置に表示して利用者による操作を受け付け、メッセージの送信指示時、前記相手端末のインスタントメッセージ通信アドレスを設定したインスタントメッセージをインスタントメッセージサーバに送信する。
【００１９】
『作用』
本発明にあっては、音声通信とＩＭ通信の連携制御を行うため、音声通信とＩＭ通信との連携が可能になる。特に第１の移動通信システム、方法および移動通信端末にあっては、音声通信による着信時、ＩＭ通信を併用する旨の利用者入力を入力するだけで、音声通信による応答と、ＩＭ通信アプリケーションプログラムの起動と、着信してきた相手端末をＩＭ送信先に設定する処理とが自動的に行われるため、利用者の負担が著しく軽減されると同時に、ＩＭ通信による応答を速やかに行うことが可能になる。また、第２の移動通信システム、方法および移動通信端末にあっては、音声通信による通話中にＩＭ通信を併用する旨の利用者入力を入力するだけで、ＩＭ通信アプリケーションプログラムの起動と、通話中の相手端末をＩＭ送信先に設定する処理とが自動的に行われるため、利用者の負担が著しく軽減されると同時に、ＩＭ通信による応答を速やかに行うことが可能になる。
【発明の効果】
【００２０】
以上説明したように本発明によれば以下のような効果が得られる。
【００２１】
音声通信とＩＭ通信との有機的な連携が可能になる。その理由は、音声通信とＩＭ通信の連携制御を行うためである。
【００２２】
利用者の負担が著しく軽減されると同時に、ＩＭ通信による応答を速やかに行うことが可能となる。その理由は、音声通信による着信時、ＩＭ通信を併用する旨の利用者入力を入力するだけで、音声通信による応答と、ＩＭ通信アプリケーションプログラムの起動と、着信してきた相手端末をＩＭ送信先に設定する処理とが自動的に行われるためである。また、音声通信による通話中にＩＭ通信を併用する旨の利用者入力を入力するだけで、ＩＭ通信アプリケーションプログラムの起動と、通話中の相手端末をＩＭ送信先に設定する処理とが自動的に行われるためである。
【００２３】
以上のことから、電車内など音声で応答するのに差し障りのある場所で電話を受けたときにＩＭ通信で応答したり、電話による音声では正確に伝えにくい情報をＩＭ通信で送信するといった今までに無い形態のコミュニケーションを簡単かつ迅速に実施することが可能になる。
【発明を実施するための最良の形態】
【００２４】
『発明の第１の実施の形態』
図１を参照すると、本発明の第１の実施の形態にかかる移動通信システムは、複数の移動通信端末（以下、単に端末と称す）１、２と、ＩＭサーバ３と、これらを相互に接続する通信網４とを含んで構成される。通信網４は、本実施の形態では、回線網（音声網）５とパケット網６とで構成されるが、ＶｏＩＰ（Ｖｏｉｃｅ  ｏｖｅｒ  ＩＰ）技術により音声情報をＩＰパケットに変換し、インターネット等のＩＰ網を通じて音声通信できるシステムにあっては、通信網４をインターネット等で構成することも可能である。
【００２５】
端末１、２は、回線網５経由で相手端末と音声通信する機能と、パケット網６経由でＩＭサーバ３を通じて相手端末とＩＭ通信する機能とを有する。ＩＭサーバ３は、端末１、２から送信されるＩＭを受信し、指定された宛先の端末へＩＭをリアルタイムに送信する機能を有する。
【００２６】
図２に端末１、２の実施例の外観図を示す。この実施例は携帯電話機であり、前面パネル１１上に、スピーカ１２、ＬＣＤ等の表示部１３、各種キーを配列したキー部１４、マイク１５が配設されている。１６はアンテナ、１７はイヤホンで、図では端末本体に接続した状態を示している。なお、イヤホン１７は、マイクと一体になったイヤホンマイクであっても良い。
【００２７】
図３に端末１、２のハードウェア構成例を示す。ＭＰＵ２１は、端末全体の制御を司り、ＲＯＭ２２、フラッシュメモリ２３、ＲＡＭ２４、表示部１３、キー部１４、データ通信制御部２５、音声通信制御部２６が接続されている。
【００２８】
ＲＯＭ２２は、読み出し専用の不揮発性メモリであり、ＭＰＵ２１が実行する各種プログラムや必要なデータが記憶されている。プログラムには、ＯＳや呼制御プログラム等の各種制御プログラムを含む基本プログラム２７と、応用プログラム２８とがあり、本実施の形態では応用プログラム２８の一つとしてＩＭアプリケーションプログラム（以下、ＩＭＡＰと称す）２９が実装されている。
【００２９】
フラッシュメモリ２３は、書換え可能な不揮発性メモリであり、利用者が不揮発的に記憶しておきたい各種のデータを格納しておくために使用される。本実施の形態では、音声通信による着信時に音声合成で応答するためのメッセージ３０、ＩＭ通信で使う定型文３６が記憶されている。メッセージ３０としては、例えば、「はい、○○です。今、音声で応答できませんので、こちらからはインスタントメッセージで応答します。若し、あなたの端末のプレゼンスがオフラインならオンラインにして下さい。そちらからの音声はお聞きできますので、ご用件をどうぞ。」（○○は実際には人の名前が入る）といったテキスト文が記憶されている。また、定型文３６としては、「はい、そうです」、「いいえ、ちがいます」など幾つかのテキスト文が記憶されている。
【００３０】
ＲＡＭ２４は、ＭＰＵ２１がプログラムの実行を行う上で必要となる一時記憶領域や作業領域、各種データを一時的に格納する領域として使用される。
【００３１】
表示部１３は、端末の利用者に対して各種の情報を提示するために使用される。本実施の形態では、送信するＩＭの編集や受信ＩＭの表示を行うＩＭ操作画面などが表示される。また、音声通信による着信があった場合に、ＩＭ通信を併用して応答するか否かを選択するＩＭ応答ボタンも表示される。
【００３２】
キー部１４は、数字キーや各種のファンクションキーを有する。通常の携帯電話機と同様にキー部１４のキーの組み合わせによって漢字や平仮名等も入力できるようになっている。図に示すキー３１、３２はキー部１４に配設された一部のキーを示し、キー３１は音声通信による着信があったときに音声通信でのみ応答する場合に操作するオフフックキーである。これに対して、キー３２は、音声通信による着信があったときにＩＭ通信を併用して応答する場合に操作するＩＭ応答キーである。ＩＭ応答キー３２を操作する代わりに、表示部１３に表示される前述したＩＭ応答ボタンを選択することもできる。また、ＩＭ応答キー３２は、通話中に操作されると、通話中の相手と音声通信だけでなくＩＭ通信でも通信することが指示されたと解釈される。
【００３３】
データ通信制御部２５は、データ通信を制御する部分であり、無線回路３３を通じてアンテナ１６に接続され、パケット化されたＩＭデータの送受信を行う。データ通信制御部２５が送信するＩＭデータの送信フォーマットを図４（ａ）に、受信するＩＭデータの受信フォーマットを図４（ｂ）に、それぞれ示す。
【００３４】
図４（ａ）において、ＩＭサーバアドレス４１はＩＭデータの宛先となるＩＭサーバ３のアドレス、相手先ＩＭアドレス４２はＩＭデータを最終的に届けたい相手端末のＩＭアドレス、自ＩＭアドレス４３はＩＭデータを送信した自端末のＩＭアドレス、データ４４はメッセージ本体である。相手先ＩＭアドレスが不明のとき、相手先ＩＭアドレス４２はＮＵＬＬに設定され、データ４４の先頭の所定バイト位置に、相手先端末の電話番号４５が設定され、続いてメッセージ本体４６が設定される。
【００３５】
図４（ｂ）において、自ＩＭアドレス５１はＩＭデータの宛先となる自端末のＩＭアドレス、相手先ＩＭアドレス５２はＩＭデータを送信した相手端末のＩＭアドレス、ＩＭサーバアドレス５３はＩＭサーバ３のアドレス、データ５４はメッセージ本体である。
【００３６】
再び図３を参照すると、音声通信制御部２６は、音声情報の通信を制御する部分であり、無線回路３４を通じてアンテナ１６に接続され、また、マイク１５、スピーカ１２およびイヤホン１７に接続される。この音声通信制御部２６は、メッセージ文を合成音声に変換する音声合成部３５を内部に備えており、音声合成部３５で合成された音声信号を、マイク１５からの入力音声に代えて送信することができるようになっている。
【００３７】
図５は端末１、２において音声通信による着信および発呼が発生した際の処理例を示すフローチャートである。このフローチャートに示される処理は、ＲＯＭ２２に記憶されたプログラムをＭＰＵ２１が実行することにより遂行される。図５を参照して、まず、音声通信による着信があった際の動作を説明する。なお、説明の便宜上、端末２から端末１に着信があった際の端末１側の動作として説明する。
【００３８】
端末１のデータ通信制御部２５は、回線網５からの着信信号を受信検出することにより（ステップＳ１０１）、着信があったこと及び発信者電話番号通知機能により回線網５から送られる端末２の電話番号を検出し、ＭＰＵ２１に通知する。ＭＰＵ２１は、図示しないサンダーによる着信音の鳴動やバイブレータによる振動により着信表示を行うと共に、図６（ａ）に示すように、表示部１３に発信者である端末２の電話番号６１と、ＩＭ通信で応答するか否かを指示するための選択ボタン６２、６３を表示し（ステップＳ１０２）、利用者からの指示を待つ（ステップＳ１０３、Ｓ１０４）。なお、着信時にＩＭＡＰ２９が既に起動されていて、表示部１３で利用者が送信ＩＭの編集を行っている場合のように、電話をかけてきた相手と今すぐにＩＭ通信することができない状態にあるならば、着信表示を行うだけで、図６（ａ）に示したような画面を表示せず、ＩＭ通信との連携をＩＭＡＰ２９が一旦停止させられるまで保留にしておくことが考えられる。
【００３９】
図６（ａ）において、ＹＥＳボタン６２はＩＭ通信で応答する場合に操作するボタン（ＩＭ応答ボタン）、ＮＯボタン６３は通常通り音声通信のみで応答する場合に操作するボタンであり、初期の状態ではＹＥＳボタン６２にカーソルが位置し、キー部１４で確定操作を行えば直ちにＹＥＳボタン６２が選択できるようになっている。
【００４０】
利用者が、ＹＥＳボタン６２を選択するか、或いはキー部１４上のＩＭ応答キー３２を操作すると、ＭＰＵ２１は、ＩＭ通信で応答することが指示されたと判断し（ステップＳ１０４でＹＥＳ）、音声通信制御部２６により回線網５に対して応答信号を送出して音声通信を可能な状態にし（ステップＳ１０５）、フラッシュメモリ３０に記憶されたメッセージ３０を音声合成部３５に送ってその合成音声を発信者（端末２）に対して送信させる（ステップＳ１０６）。これにより、「はい、○○です。今、音声で応答できませんので、こちらからはインスタントメッセージで応答します。若し、あなたの端末のプレゼンスがオフラインならオンラインにして下さい。そちらからの音声はお聞きできますので、ご用件をどうぞ。」といった音声メッセージが端末２に送られる。端末１の利用者は、端末２の利用者からの用件を、スピーカ１２を耳に当てて聞くこともできるが、ＩＭによる応答を行う際には表示部１３を利用するので、通常はイヤホン１７を使って相手の音声を聞くことになる。
【００４１】
同時にＭＰＵ２１は、ＩＭＡＰ２９を起動して発信者電話番号（端末２の電話番号）をＩＭＡＰ２９に通知する（ステップＳ１０７）。起動したＩＭＡＰ２９は、端末１のプレゼンスがオンラインになったことを音声通信制御部２６により無線回線３４およびアンテナ１６を通じて送信するプレゼンスデータでＩＭサーバ３に通知する。また、ＩＭＡＰ２９は、表示部１３に図６（ｂ）に示すようなＩＭ操作画面を表示し（ステップＳ１０８）、利用者から各種の操作を受け付け、受け付けた操作に応じて処理を実行する（ステップＳ１０９）。
【００４２】
図６（ｂ）において、宛先ＩＭアドレス７１は、図４の送信フォーマットにおける相手先ＩＭアドレス４２に設定されるＩＭアドレスであり、今の場合、ＮＵＬＬが設定されている。宛先電話番号７２には、発信者の電話番号（端末２の電話番号）が設定される。宛先ＩＭアドレス７１がＮＵＬＬの場合、ＩＭＡＰ２９は、宛先電話番号７２を図４の送信フォーマットにおける相手先電話番号４５に設定するように動作する。ＩＭ編集欄７３は、送信するメッセージを編集するスペースで、空欄になっており、その先頭にカーソルが位置している。キー部１４の操作で入力されたテキストはこのＩＭ編集欄７３にモニタ表示され、任意のメッセージ文を編集することができる。送信ボタン７４は、ＩＭの送信を指示するボタンである。定型文一覧ボタン７５は、定型文の一覧を表示するボタンである。このボタン７５が操作されると、ＩＭＡＰ２９は、フラッシュメモリ２３に記憶された定型文３６を読み出し、図６（ｃ）に示すような定型文一覧画面を表示部１３に表示する。各定型文の先頭に選択ボックスがあり、ここにカーソルを当ててキー部１４で確定操作を行うと、選択した定型文がＩＭ編集欄７３に設定された図６（ｂ）の画面に戻る。戻るボタン８１を操作すれば、定型文の選択なしに図６（ｂ）の画面に戻ることができる。また、受信ＩＭ表示欄７６は他の端末から受信したＩＭを表示する欄である。
【００４３】
端末１の利用者は、イヤホン１７で聞き取った相手の用件に対して、「はい、そうです」、「いいえ、ちがいます」、「承知しました」などの定型文を使ったり、キー部１４から任意のテキスト文を入力して、ＩＭ編集欄７３に応答内容を編集し、送信ボタン７４を操作すると、ＩＭＡＰ２９がこれを検出し（ステップＳ１１０でＹＥＳ）、ＩＭ送信を行う（ステップＳ１１１）。具体的には、図６（ａ）のＩＭサーバアドレス４１に予め設定されている既知のＩＭサーバ３のアドレスを設定し、相手先ＩＭアドレス４２にＮＵＬＬを設定し、自ＩＭアドレス４３に自端末１のＩＭアドレスを設定し、相手先電話番号４５に端末２の電話番号を設定し、データ４６にＩＭ編集欄７３に設定されたテキスト文を設定して、送信データを作成し、データ通信制御部２５に渡して送信を指示する。データ通信制御部２５は、所定の通信プロトコルに従って、ＩＭデータを無線回路３３を通じてアンテナ１６からパケット網６へ送信する。パケット網６は、受信したＩＭデータを、そのＩＭサーバアドレス４１に従ってＩＭサーバ３に届け、ＩＭサーバ３はこのＩＭを端末２に届ける。このときのＩＭサーバ３の動作は、ＩＭサーバ３の構成例と共に後に詳細に説明する。
【００４４】
端末１からのＩＭの送信は一度だけでなく、何度も繰り返すことができる（ステップＳ１０８〜Ｓ１１１）。これらの処理と並行して、ＭＰＵ２１は、端末１と端末２間の音声通信が終了（終話）したかどうか（ステップＳ１１２）、端末１で他端末からのＩＭを受信したかどうか（ステップＳ１１３）、端末２の利用者がＩＭＡＰ２９を停止する操作を行ったかどうか（ステップＳ１１４）を判定している。
【００４５】
端末１、２の何れか一方がオンフックして終話した場合、ＭＰＵ２１は終話処理を行う（ステップＳ１１５）。音声通信が終了してもＩＭ通信は続行されているので、ステップＳ１０９に制御が戻される。
【００４６】
データ通信制御部２５において、アンテナ１６及び無線回路３３を通じて図６（ｂ）に示したような受信フォーマットで他端末からのＩＭデータを受信した場合、受信データをＲＡＭ２４に一時的に記憶すると共に、表示部１３にデータ５４の内容を表示することにより、端末１の利用者にＩＭの内容を提示する（ステップＳ１１６）。そして、制御がステップＳ１０９に戻される。
【００４７】
キー部１４の操作によってＩＭＡＰ２９の停止が指示された場合、ＩＭＡＰ２９はオフラインになったことを示すプレゼンスデータを音声通信制御部２６によりＩＭサーバ３に通知し、ＩＭＡＰ２９は動作を停止する（ステップＳ１１７）。ＭＵＰ２１は、音声通信も終了しているかどうかを判定し（ステップＳ１１８）、音声通信も終了していれば図５の処理を終了する。音声通信が続行中であれば、以後、ＭＰＵ２１は、キー部１４のＩＭ応答キー３２の操作によりＩＭ通信を併用することが指示されたかどうか（ステップＳ１１９）、端末１、２間の音声通信が終了したかどうか（ステップＳ１２０）を判定する。端末１、２間の音声通信が終了すると、終話処理を行い（ステップＳ１２１）、図５の処理を終える。他方、端末２との間の音声通信中に、ＩＭ応答キー３２が操作されると、制御はステップＳ１０７へ進む。これにより、ＩＭＡＰ２９が再び起動され、音声通信中の相手端末２の電話番号がＩＭＡＰ２９に通知され、図６（ｂ）に示したようなＩＭ操作画面が表示部１３に表示され、再び音声通信とＩＭ通信とを併用して端末１とコミュニケーションすることができるようになる。
【００４８】
他方、端末２から着信があった際に、利用者が図６（ａ）のＮＯボタン６３を操作するか、あるいはキー部１４のオフフックキー３１を操作すると、ＭＰＵ２１は、音声通信のみで応答するものと判断し（ステップＳ１０３でＹＥＳ）、音声通信制御部２６により応答信号を無線回路３４およびアンテナ１６を通じて回線網５へ送信することで、端末２との間の音声通信を可能な状態とする（ステップＳ１２２）。そして、ステップＳ１１９へ制御を移す。以降、必要ならＩＭ通信を併用して端末２との間でコミュニケーションを行うことができる。
【００４９】
次に図５を参照して、音声通信による発呼があった際の動作を説明する。なお、説明の便宜上、端末１から端末２に発呼した場合の動作を説明する。
【００５０】
利用者がキー部１４を操作して端末２の電話番号を入力し、オフフックキー３１を操作すると、ＭＰＵ２１は音声通信制御部２６に端末２の電話番号を伝達し、音声通信制御部２６は、無線回線３４を通じてアンテナ１６から発呼信号を回線網５へ送信する（ステップＳ２０１）。回線網５は、受信した発呼信号に基づき端末２へ着信信号を送信し、端末２が応答すると、端末１へ応答信号を送信する。ＭＰＵ２１は、端末２が応答したことを確認すると（ステップＳ２０２でＹＥＳ）、ステップＳ１１９へ制御を移す。以後、着信時と同様に、必要ならＩＭ通信を併用して端末２との間でコミュニケーションを行うことができる。ここで、発呼側の端末の場合、発呼に使用した相手端末の電話番号がステップＳ１０７においてＭＰＵ２１からＩＭＡＰ２９に通知され、ＩＭＡＰ２９は通知された電話番号を図６（ｂ）の宛先電話番号７２として使用する。
【００５１】
次に、ＩＭサーバ３の構成例と動作を説明する。
【００５２】
図７を参照すると、ＩＭサーバ３の一実施例は、端末１、２からデータを受信する受信部１０１と、端末１、２から受信したＩＭを一時的に記憶するデータバッファ１０２と、データバッファ１０２に記憶されたＩＭの配信を制御する制御部１０３と、受信部１０１で受信された端末１、２のプレゼンスデータ（オンラインまたはオフラインの何れかを示すデータ）に基づいて各端末のプレゼンスを管理すると共にオンラインの端末に対して他の端末のプレゼンスデータを通知する処理を行うプレゼンス管理部１０４と、端末から受信したＩＭおよび端末のプレゼンスデータを他の端末に送信する送信部１０５と、端末１、２の電話番号とＩＭアドレスとの対応表１０６を記憶するユーザデータベース１０７と、対応表１０６の一部のコピーを記憶するキャッシュ１０８と、対応表１０６から電話番号に対応するＩＭアドレスを検索するアドレス検索部１０９と、制御部１０３から電話番号を受け取り、その電話番号に対応するＩＭアドレスがキャッシュ１０８に存在するか否かを調べ、存在すれば（これをヒットと言う）、存在したＩＭアドレスを制御部１０３に返却し、存在しなければ（これをミスヒットと言う）、電話番号をアドレス検索部１０９に渡して検索を依頼し、その検索結果を制御部１０３に返却するアドレス変換部１１０とを備えている。
【００５３】
このようなＩＭサーバ３は、ワークステーションやパーソナルコンピュータ等のコンピュータとサーバ用プログラムとで実現することができる。サーバ用プログラムは、磁気ディスクやＣＤ−ＲＯＭ等のコンピュータ可読記録媒体１１１に記憶されて提供され、ＩＭサーバ３を構成するコンピュータの立ち上げ時などにコンピュータに読み取られ、そのコンピュータの動作を制御することにより、そのコンピュータ上に前述した受信部１０１、制御部１０３、プレゼンス管理部１０４、送信部１０５、アドレス変換部１１０およびアドレス検索部１０９を実現する。
【００５４】
図８は端末からＩＭデータを受信したときのＩＭサーバ３の処理例を示すフローチャートである。以下、端末２宛のＩＭデータを端末１から受信した場合を例にＩＭサーバ３の動作を説明する。
【００５５】
ＩＭサーバ３は、端末１から送信されたＩＭデータを受信部１０１で受信すると（ステップＳ３０１）、データバッファ１０２に一旦蓄積する（ステップＳ３０２）。次に、制御部１０３によりデータバッファ１０２から前記受信したＩＭデータを取り出し（ステップＳ３０３）、相手先ＩＭアドレス（図４（ａ）の４２）がＮＵＬＬかどうかを調べる（ステップＳ３０４）。ＮＵＬＬでなく相手先ＩＭアドレスが設定されていれば、ステップＳ３０９へ進んで、受信ＩＭデータを図４（ｂ）に示した受信フォーマットのような送信用のＩＭデータに変換する。他方、ＮＵＬＬであれば、ＩＭデータから相手先電話番号（図４（ａ）の４５）を抽出し（ステップＳ３０５）、アドレス変換部１１０に渡す。
【００５６】
アドレス変換部１１０は、同じ相手先電話番号とＩＭアドレスの対応情報がキャッシュ１０８に存在するか否かを調べる（ステップＳ３０６）。若し存在すれば、対応するＩＭアドレスを制御部１０３に返却する。存在しなければ、その相手先電話番号をアドレス検索部１０９に渡す。
【００５７】
アドレス検索部１０９は、同じ相手先電話番号とＩＭアドレスの対応情報がユーザデータベース１０７の対応表１０６に記録されているかどうかを調べる（ステップＳ３０７）。存在したならば、対応するＩＭアドレスをアドレス変換部１１０に返却し、アドレス変換部１１０は、返却されたＩＭアドレスと相手先電話番号の対応情報をキャッシュ１０８に登録し（ステップＳ３０８）、返却されたＩＭアドレスを制御部１０３に返却する。他方、存在しなければ、その旨がアドレス変換部１１０を通じて制御部１０３に通知され、制御部１０３は今回受信されたＩＭデータを廃棄する（ステップＳ３１０）。
【００５８】
一方、相手先電話番号に対応するＩＭアドレスが返却された場合、制御部１０３は、返却されたＩＭアドレスを使って、受信ＩＭデータを図６（ｂ）に示した受信フォーマットのような送信用のＩＭデータに変換する（ステップＳ３０９）。そして、返却されたＩＭアドレスを持つ端末２のプレゼンスがオンラインか、オフラインかをプレゼンス管理部１０４で管理されている各端末の現在のプレゼンスデータから判定する（ステップＳ３１１）。端末２がオンラインであれば、制御部１０３は送信部１０５によりＩＭデータをパケット網６を通じて端末２へ送信する（ステップＳ３１２）。端末２がオフラインであれば、ＩＭデータをデータバッファ１０２に戻す（ステップＳ３１３）。データバッファ１０２に戻されたＩＭデータは、端末２がオンラインになった時点で再び制御部１０３により取り出され、端末２へ送信される。
【００５９】
次に、本実施の形態の移動通信システムを利用した幾つかのコミュニケーション例を説明する。
【００６０】
端末１は利用者「鈴木」の所有する携帯電話機、端末２は利用者「田中」の所有する携帯電話機であり、鈴木と田中は共にＩＭサービスのユーザで、ＩＭサーバ３のユーザデータベース１０７の対応表１０６に自分の電話番号と自分のＩＭアドレスとの対応情報が事前に登録されている。ある日の朝方に、鈴木は端末１から田中の端末２に電話をかけたところ、田中は電車内にいて音声で応答するのに差し障りがあるためイヤホン１７をセットし、着信時に自分の端末２の表示部１３に表示された図６（ａ）のＹＥＳボタン６２を操作して、ＩＭ通信で応答することにした。このとき、フラッシュメモリ２３に事前に登録されたメッセージ３０が音声合成部３５で音声メッセージに変換され、「はい、田中です。今、音声で応答できませんので、こちらからはインスタントメッセージで応答します。若し、あなたの端末のプレゼンスがオフラインならオンラインにして下さい。そちらからの音声はお聞きできますので、ご用件をどうぞ。」といったメッセージが自動的に端末２から端末１へ送出される。また、ＩＭＡＰ２９が起動され、端末２のプレゼンス情報としてオンラインがＩＭサーバ３に通知されると共に、図６（ｂ）に示したＩＭ操作画面が表示部１３に現れ、直ぐにでもＩＭを送信できる準備が整えられる。
【００６１】
他方、上記の音声メッセージを聞いた鈴木は、事情を理解し、自分の端末１のＩＭ応答キー３２を操作してＩＭＡＰ２９を起動した。これにより、端末１の表示部１３に図６（ｂ）に示したようなＩＭ操作画面が現れ、端末１から受信するＩＭを直ぐに確認できる準備が整う。そして、鈴木は、「今日の午後１時に例の場所でお会したいのですが、如何でしょうか。」と用件を音声で伝えた。そして、田中からのＩＭが到着するのを待った。
【００６２】
上記の用件をイヤホン１７を通じて聞いた田中は、定型文「承知しました。」をＩＭ編集欄７３に呼出し、送信ボタン７４を操作することで、了解する旨の応答を行った。このとき、端末２からＩＭサーバ３へは図４（ａ）に示すフォーマットでＩＭデータが送られ、相手先ＩＭアドレス４２はＮＵＬＬになっており、相手先電話番号４５に鈴木の電話番号が設定されている。ＩＭサーバ３は、ユーザデータベース１０７に記憶されている鈴木の電話番号とＩＭアドレスとの対応関係から鈴木のＩＭアドレスを取得してアドレスを解決し、鈴木の端末１のプレゼンスがオンラインになっていることを確認して、受信した「承知しました。」というＩＭを端末１宛に送信する。
【００６３】
上記送信されたＩＭは鈴木の端末２で受信され、表示部１３の図６（ｂ）に示した受信ＩＭ表示欄７６に表示される。鈴木はこの表示を見て、田中が了解してくれたことを知り、音声でお礼の言葉をのべて、電話を切った。
【００６４】
その日の昼前、田中は鈴木に会うときに持ってきてもらいたい特許公報を思い出したので、端末２から鈴木の端末１に電話をかけた。鈴木は、音声で応答できる状況だったので、オフフックキー３１を操作して応答し、田中氏が音声で伝えてきた特許公報の番号を聞き取ろうとしたが、周りがうるさく、受信状態も良くなかったので、音声で「正確な番号をＩＭで送って下さい。」と伝えた後、ＩＭ応答ボタン３２を操作した。これにより、鈴木の端末１の表示部１３に図６（ｂ）に示したようなＩＭ操作画面が現れ、田中から送られるＩＭを直ぐに確認できる状態になった。他方、田中はＩＭ応答ボタン３２を操作し、端末２の表示部１３に図６（ｂ）に示したようなＩＭ操作画面を呼出し、キー部１４の操作によりＩＭ編集領域７３に「特許第Ｘ２１４６９２号」と入力し、送信ボタン７４を操作した。これにより、「特許第Ｘ２１４６９２号」というＩＭがＩＭサーバ３を通じて田中の端末２から鈴木の端末１宛に送信され、鈴木の端末２の表示部１３に表示される。鈴木はＩＭが送られてくる迄のしばらくの間、今日の打ち合わせの件で田中と会話していたが、ＩＭを受信し、表示内容から正確な特許番号を知ることができたので、音声で「確かに届きました。用意しておきます」とのべて、電話を切った。
【００６５】
このように本実施の形態によれば、音声通信とＩＭ通信とを有機的に連携させたコミュニケーションが可能である。
【００６６】
『発明の第２の実施の形態』
第１の実施の形態では、電話番号に対応するＩＭアドレスの解決をＩＭサーバ３で全て実施したが、本実施の形態では、端末１、２のフラッシュメモリ２３に図９に示すように電話番号とＩＭアドレスとの対応表３７を記憶しておき、対応表３７によって解決できるＩＭアドレスは端末側で解決し、解決できない場合のみＩＭサーバ３で解決する。具体的には、図５のステップＳ１０７におけるＩＭＡＰ２９の起動時、第１の実施の形態では音声通信の相手端末の電話番号をＩＭＡＰ２９に通知したが、ＭＰＵ２１が相手端末の電話番号に対応するＩＭアドレスが対応表に記憶されているかどうかを調べ、記憶されていればＩＭアドレスをＩＭＡＰ２９に通知する。ＩＭＡＰ２９は、通知されたＩＭアドレスを図６（ｂ）の相手ＩＭアドレス７１として表示し、ＩＭ送信時に図４（ａ）の相手先ＩＭアドレス４２に設定する。
【００６７】
フラッシュメモリ２３の対応表３７への電話番号とＩＭアドレスの登録は、キー部１４の操作によって行うことができる。また、第１の実施の形態で説明したように、端末１から端末２に電話し、端末２から端末１にＩＭデータが送られてきた場合、端末１は受信した図４（ｂ）の相手先ＩＭアドレス５２から、端末２の電話番号に対応するＩＭアドレスを知ることができるので、ＭＰＵ２１がそれを自動的に対応表３７へ登録するようにしても良い。
【００６８】
なお、別の実施の形態として、第２の実施の形態におけるＩＭサーバ３からＩＭアドレスを解決する機能に関する構成要素（アドレス変換部１１０、アドレス検索部１０９、キャッシュ１０８およびユーザデータベースの対応表１０６）を削除し、電話番号からＩＭアドレスを求める処理を全て端末側で実施する構成も考えられる。
【００６９】
以上、音声通信及びインスタントメッセージ通信の２つのみを連携させることを事例として挙げ説明したが、これ以外に他のデータ通信を同時に行っても構わない。
【図面の簡単な説明】
【００７０】
【図１】本発明の第１の実施の形態にかかる移動通信システムのブロック図である。
【図２】本発明にかかる移動通信端末の実施例の外観図である。
【図３】本発明の実施例の移動通信端末のハードウェア構成例を示すブロック図である。
【図４】ＩＭデータのフォーマットを示す図である。
【図５】本発明の実施例の移動通信端末において音声通信による着信および発呼が発生した際の処理例を示すフローチャートである。
【図６】本発明の実施例の移動通信端末における表示部の表示例を示す図である。
【図７】本発明の実施例のＩＭサーバの構成例を示すブロック図である。
【図８】端末からＩＭデータを受信したときのＩＭサーバの処理例を示すフローチャートである。
【図９】本発明の別の実施の形態における移動通信端末のフラッシュメモリに記憶される情報の例を示す図である。
【符号の説明】
【００７１】
１、２…移動通信端末
３…ＩＭサーバ
４…通信網
５…回線網
６…パケット網
【図１】
2007053804.tif 000003
【図２】
2007053804.tif 000004
【図３】
2007053804.tif 000005
【図４】
2007053804.tif 000006
【図５】
2007053804.tif 000007
【図６】
2007053804.tif 000008
【図７】
2007053804.tif 000009
【図８】
2007053804.tif 000010
【図９】
2007053804.tif 000011